(57)【特許請求の範囲】
【請求項１】
外周にコネクタハウジングのキャビティ内周に密着するリップ部を備えると共に電線に外嵌される防水ゴム栓と、該防水ゴム栓の先端の固定部外周に圧着されるインシュレーションバレルを備えた端子金具との圧着構造であって、
上記防水ゴム栓の固定部は、上記インシュレーションバレルによって圧着される部分から飛び出している部分の外径を上記インシュレーションバレルによって圧着される部分の外径よりも拡径させず、かつ、先端方の領域に先端へ至るに従い先細りとなる縮径部を設け、
上記防水ゴム栓の固定部にインシュレーションバレルを圧着したときの上記端子金具の底面から上記防水ゴム栓の固定部の反り上がった先端部までの寸法を、上記底面から圧着後のインシュレーションバレルの上面までの寸法より小さい設定としていることを特徴とする防水ゴム栓と端子金具との圧着構造。
【発明の詳細な説明】
【０００１】
【発明の属する技術分野】
本発明は防水ゴム栓と端子金具との圧着構造に関し、詳しくは、コネクタハウジングのキャビティ内への防水ゴム栓付の端子金具を挿入する場合の挿入作業性を向上するものである。
【０００２】
【従来の技術】
従来、防水コネクタに使用する防水ゴム栓付の端子金具としては、例えば特開平７−２８２８９３号公報に記載のものが知られている。図５（Ａ）に示すように、この端子金具１に圧着して接続される電線Ｗの端末には外周にリップ部２ａを備えた筒状の防水ゴム栓２が外嵌されている。そして、図５（Ｂ）に示すように、この防水ゴム栓２の先端の固定部２ｂを端子金具１の後端に突設した一対のインシュレーションバレル１ａにより包み込むようにして圧着することで端子金具１に防水ゴム栓２を固定すると共に、電線Ｗの先端を皮剥ぎした芯線Ｗａをワイヤバレル１ｂにより圧着するようにしている。
【０００３】
【発明が解決しようとする課題】
上記のようにして防水ゴム栓２の固定部２ｂは、電線Ｗと共にインシュレーションバレル１ａによって圧着されるため、その圧着部分がＡ方向に圧縮され、これに伴ない固定部２ｂの先端がＢ方向に反り上がるようになる。このような状態は、端子金具１が比較的大きく、防水ゴム栓２のリップ部２ａと固定部２ｂとの間に径差がある場合は問題ないが、端子金具の小型化に伴ない、リップ部２ａと固定部２ｂとの間の径差が少ない場合に問題が発生する。即ち、固定部２ｂの先端が外方に反り上がっていると、端子金具１をコネクタハウジングＨのキャビティＣに挿入する場合、この反り上がった部分がキャビティＣ内周に引っ掛かって捲れ上がるため、挿入抵抗が増大して挿入作業性を低下させると共に、著しい場合は固定部２ｂがインシュレーションバレル１ａから外れてしまう可能性があった。
【０００４】
本発明は上記問題に鑑みてなされたもので、本発明では、防水ゴム栓付の小型の端子金具をコネクタハウジングのキャビティに挿入する場合の挿入抵抗の増大等のトラブルを解消する防水ゴム栓と端子金具との圧着構造を提供するものである。
【０００５】
【課題を解決するための手段】
上記課題を解決するため、本発明では、外周にコネクタハウジングのキャビティ内周に密着するリップ部を備えると共に電線に外嵌される防水ゴム栓と、該防水ゴム栓の先端の固定部外周に圧着されるインシュレーションバレルを備えた端子金具との圧着構造であって、
上記防水ゴム栓の固定部は、上記インシュレーションバレルによって圧着される部分から飛び出している部分の外径を上記インシュレーションバレルによって圧着される部分の外径よりも拡径させず、かつ、先端方の領域に先端へ至るに従い先細りとなる縮径部を設け、
上記防水ゴム栓の固定部にインシュレーションバレルを圧着したときの上記端子金具の底面から上記防水ゴム栓の固定部の反り上がった先端部までの寸法を、上記底面から圧着後のインシュレーションバレルの上面までの寸法より小さい設定としていることを特徴とする防水ゴム栓と端子金具との圧着構造を提供している。
【０００６】
上記構成によれば、防水ゴム栓の固定部が電線と共にインシュレーションバレルにより圧着され、固定部が圧縮されることでインシュレーションバレル先端から飛び出している領域が上方へ反り上がる状態となっても、その先端部には縮径部が形成されているので、先端部がインシュレーションバレルの上面のラインから大きく飛び出すことがない。よって、小型の端子金具において防水ゴム栓の固定部とリップ部の外径の径差が少ない場合においても、端子金具をコネクタのキャビティへ挿入する際、防水ゴム栓の固定部先端がキャビティ内周に引っ掛かることがなく、端子挿入時に挿入抵抗が増大するのを防止できる。
【０００７】
また、上記端子金具の底面から上記防水ゴム栓の固定部の反り上がった先端部までの寸法は、上記底面から圧着後のインシュレーションバレルの上面までの寸法より小さい設定としているため、コネクタのキャビティへの端子挿入時におけるキャビティ内周への固定部先端の接触による捲れを確実に防止できる。
【０００８】
【発明の実施の形態】
本発明の実施形態を図面を参照して説明する。
図１は防水コネクタハウジングのキャビティ内に挿入すべき、端子金具１１と防水ゴム栓１２との圧着構造を示し、特に端子金具１１の外径と防水ゴム栓１２の外径の径差が小さい小型の端子金具１１に適用される圧着構造を示している。
【０００９】
端子金具１１は、所定形状に打ち抜いた金属板を曲げ加工したものであり、一端部には相手側の雄端子金具（図示せず）と接続される角筒状の接続部１１ａを形成すると共に他端部には、防水ゴム栓１２および電線Ｗを固定するための圧着部１１ｂを形成している。
圧着部１１ｂは端部に形成され、電線Ｗの被覆部Ｗｂおよび防水ゴム栓１２を固定する一対のインシュレーションバレル１１ｃと、このインシュレーションバレル１１ｃよりも内側に形成され、電線Ｗの端末部を皮剥ぎして露出された芯線Ｗａを固定する一対のワイヤバレル１１ｄを備えている。
【００１０】
防水ゴム栓１２は、図２に示すように、中心部に電線挿通孔１２ａが形成された円筒形状のゴム部材よりなり、一端方にインシュレーションバレル１１ｃが外周に圧着される固定部１２ｂを形成すると共に、他端方にはコネクタハウジングのキャビティ内周に密着させるための複数の環状のリップ１２ｃからなるリップ部１２ｄを形成している。当然ながら固定部１２ｂの外径はリップ部１２ｄの外径より小さく設定されているが、本実施形態における防水ゴム栓１２は、特に小型の端子金具１１に適用されるもので、その径差は小さい。このため、本発明ではインシュレーションバレル１１ｃによって圧着される固定部１２ｂから飛び出している先端の領域に、先端へ至るに従い先細りとなる縮径部１２ｅを形成している。
【００１１】
上記防水ゴム栓と端子金具との圧着構造について説明すると、先ず電線Ｗの端末に電線挿通孔１２ａを通して防水ゴム栓１２を外嵌し、次いで、電線Ｗの端末を皮剥ぎして芯線Ｗａを露出させる。続いて、防水ゴム栓１２が外嵌された電線Ｗを端子金具１１の圧着部１１ｂの所要位置に位置決めし、プレス機によってインシュレーションバレル１１ｃおよびワイヤバレル１１ｄを閉じるように加工することで芯線Ｗａおよび防水ゴム栓１２がそれぞれ圧着固定される。図１に示すように、芯線Ｗａに対しては充分な電気的接触性と引っ張り強度を得るため強く圧着されるが、防水ゴム栓１２に対しては、その材質からして損傷をあたえない程度で若干圧縮する程度に軽く圧着される。
【００１２】
インシュレーションバレル１１ｃは、固定部１２ｂの中央部に対し両側からラップして巻き付けるように圧着されてその部分を若干圧縮することで防水ゴム栓１２を抜け止めするようにしている。このため、図３に示すように、圧着された部分から飛び出している先端方の領域は、先端へ向かうに従い上方へ反り上がった状態となる。
本実施形態においては、固定部１２ｂの先端に縮径部１２ｅが形成されており、その縮径の度合いは、インシュレーションバレル１１ｃによって固定部１２ｂが圧着されることで、その先端部が反り上がった状態において、端子金具１１の底面１１ｅから固定部１２ｂの先端部までの寸法Ｘが底面１１ｅからインシュレーションバレル１１ｃの上面までの寸法Ｙより小さくなる設定としている。
【００１３】
上記圧着構造によれば、防水ゴム栓１２のリップ部１２ｄと固定部１２ｂとの径差が非常に小さいにも拘わらず、固定部１２ｂの先端に縮径部１２ｅが形成されているため、インシュレーションバレル１１ｃの圧着によって縮径部１２ｅの先端が反り上がったとしても、インシュレーションバレル１１ｃの上面より飛び出すことがない。従って、図４に示すように、コネクタハウジングＨのキャビティＣ内への端子金具１１の挿入に際し、固定部１２ｂの先端部がキャビティＣの内周に接触して捲れ上がることによる挿入抵抗の増加を招くことがない。
なお、上記実施形態では、雌端子金具へ適用した例を示したが、本発明は雄端子金具に対しても同様に適用可能である。
【００１４】
【発明の効果】
以上の説明より明らかなように、本発明の防水ゴム栓と端子金具との圧着構造によれば、防水ゴム栓の固定部先端が反り上がることによってコネクタハウジングのキャビティ内周と接触するのを防止でき、よって、キャビティ内への端子金具の挿入時に挿入抵抗を増加させることなく円滑な作業性を確保することができる。特に、リップ部と固定部との径差が小さい防水ゴム栓を圧着した小型の端子金具への適用において効果を発揮することができる。
【図面の簡単な説明】
【図１】  本発明の防水ゴム栓と端子金具との圧着構造の実施形態を示す斜視図である。
【図２】  防水ゴム栓の断面図である。
【図３】  圧着構造の要部の部分拡大図である。
【図４】  圧着構造の要部とコネクタハウジングのキャビティとの関係を示す部分拡大図である。
【図５】  （Ａ）（Ｂ）は従来例を示す図である。
【符号の説明】
Ｗ  電線
Ｗａ  芯線
Ｈ  コネクタハウジング
Ｃ  キャビティ
１１  端子金具
１１ａ  接続部
１１ｂ  圧着部
１１ｃ  インシュレーションバレル
１１ｅ  底面
１２  防水ゴム栓
１２ｂ  固定部
１２ｃ  リップ
１２ｄ  リップ部
１２ｅ  縮径部
【図１】
0003674508.tif 000002
【図２】
0003674508.tif 000003
【図３】
0003674508.tif 000004
【図４】
0003674508.tif 000005
【図５】
0003674508.tif 000006